(57)【特許請求の範囲】
【請求項１】
貯水タンクに貯水された洗浄水を便器本体に供給して洗浄する水洗式大便器のタンク構
造であって、
便器本体のリム吐水口へ供給する洗浄水を貯水するリムタンクとこのリムタンクの下方
に配置されジェット吐水口へ供給する洗浄水を貯水するジェットタンクとを備えた貯水タ
ンクと、
上記リムタンクに洗浄水を供給する供給手段と、
上記リムタンクに設けられ洗浄水の供給停止を行うリム排水弁及びジェットタンクに設
けられ洗浄水の供給停止を行うジェット排水弁と、
上記リムタンクに形成されリムタンクから洗浄水を溢れ出させて上記ジェットタンクに
その洗浄水を供給するためのジェットタンク洗浄水供給口と、
このジェットタンク洗浄水供給口に接続され洗浄水をジェットタンクへ導くジェットタ
ンク導水路であって、このジェットタンク導水路の少なくとも上部は上記リムタンクの外
壁に沿って延び且つジェットタンク導水路の下端は上記ジェットタンクに貯留された洗浄
水の排水後の残留水位より下方に位置している上記ジェットタンク導水路と、
を有することを特徴とする水洗式大便器のタンク構造。
【請求項２】
上記ジェットタンク洗浄水供給口は、側面視で上記リムタンクの上縁部から下方に凹状に切り欠かれて形成されると共に平面視で上記リムタンクの内方に向かって凹状になるように形成され、上記ジェットタンク導水路はこの平面視で凹状に形成された部分が下方に延出されて構成されている請求項１に記載の水洗式大便器のタンク構造。
【請求項３】
上記平面視で凹状に形成された部分は、平面視でほぼ矩形形状を有し、その角部がＲ形状に形成されている請求項２に記載の水洗式大便器のタンク構造。
【請求項４】
上記ジェットタンク洗浄水供給口は、その下端部の断面の法線が、その断面において上方から下方に向かうにつれて上方から側方に向けて傾くように変化する面を有する請求項２又は請求項３に記載の水洗式大便器のタンク構造。
【請求項５】
上記ジェットタンク洗浄水供給口は、その下端部が、側方且つ斜め上方に向けて突出した湾曲形状の曲面を有する請求項２乃至４の何れか１項に記載の水洗式大便器のタンク構造。
【請求項６】
上記ジェットタンク洗浄水供給口は、側面視で上記リムタンクの上縁部から下方に凹状に切り欠かれて形成され、
上記導水路は、このジェットタンク洗浄水供給口を覆うように且つ上記ジェットタンク洗浄水供給口から離間して下方に延びる板状部材を有し、この板状部材は、その板状部材に衝突した洗浄水が上記リムタンクの側面部のジェットタンク導水路に向けて流れるように上記リムタンクの側面に向けて傾斜した下端部を有している請求項１に記載の水洗式大便器のタンク構造。
【請求項７】
上記ジェットタンク洗浄水供給口は、平面視で上記リムタンクの内方に向かって凹状になるように形成され、上記リムタンクの側面部のジェットタンク導水路は上記第１タンク洗浄水供給口の平面視で凹状に形成された部分が下方に延出した部分である請求項６に記載の水洗式大便器のタンク構造。
【請求項８】
上記ジェットタンク導水路には、上記ジェットタンク洗浄水供給口から溢れ出した洗浄水が上記ジェットタンク導水路に沿って流れるように洗浄水が上記ジェットタンク導水路から剥離することを防止する剥離防止手段が設けられている請求項１乃至７の何れか１項に記載の水洗式大便器のタンク構造。
【請求項９】
上記ジェットタンク洗浄水供給口には、このジェットタンク洗浄水供給口から溢れる洗浄水が上記ジェットタンク導水路に向かってほぼ幅方向に均一に流れるように誘導する案内手段が設けられている請求項１乃至８の何れか１項に記載の水洗式大便器のタンク構造。
【請求項１０】
上記ジェットタンク洗浄水供給口には、このジェットタンク洗浄水供給口を覆うように網状部材が設けられ、この網状部材は上記ジェットタンク導水路に沿って下方に延びており、この網状部材が、上記ジェットタンク洗浄水供給口から溢れ出した洗浄水が上記ジェットタンク導水路に沿って流れるように洗浄水が上記ジェットタンク導水路から剥離することを防止する剥離防止手段を構成している請求項８又は９に記載の水洗式大便器のタンク構造。
【請求項１１】
上記ジェットタンク洗浄水供給口は、側面視で上記リムタンクの上縁部から下方に凹状に切り欠かれて形成され、上記ジェットタンク導水路は、このジェットタンク洗浄水供給口に接続された中空円筒状の部材で構成されている請求項１に記載の水洗式大便器のタンク構造。
【請求項１２】
上記ジェットタンク導水路は、上記リムタンクの外壁に沿って形成された導水室とこの導水室の下方に接続された下部導水路とからなり、上記導水室が上記ジェットタンク洗浄水供給口と接続された上流部の幅は広く、この上流部より下流側に位置する下流部の幅は狭くなるようにほぼＬ字形状に形成されている請求項１に記載の水洗式大便器のタンク構造。
【請求項１３】
上記ジェットタンク導水路の導水室の上流部は下流部の上方に位置する部分とこの部分の水平方向横方向に位置する水溜部とからなり、この水溜部には水の流速を減速させる流速減速手段が設けられている請求項１２に記載の水洗式大便器のタンク構造。
【請求項１４】
上記ジェットタンク導水路の下部導水路は、その導水面が斜め上方に向くように傾いて形成されている請求項１２又は１３に記載の水洗式大便器のタンク構造。
【請求項１５】
上記ジェットタンク導水路の下部導水路の導水面に上下方向に平行に延びる複数のリブが形成されている請求項１２乃至１４の何れか１項に記載の水洗式大便器のタンク構造。
【発明の詳細な説明】
【技術分野】
【０００１】
本発明は、水洗式大便器のタンク構造に係り、特に、貯水タンクに貯水された洗浄水を便器本体に供給して洗浄する水洗式大便器のタンク構造に関する。
【背景技術】
【０００２】
特許文献１には、リム用洗浄水タンクの水位が上昇すると、洗浄水がそのリム用洗浄水タンクの切り欠き部からジェット洗浄水用タンクに流れるようにされた水洗式大便器が開示されている。
また、特許文献２には、手洗鉢から落下した水が排水孔を通り、水受け部材のトレー上に落下するようにされた手洗付ロータンクが開示されている。このロータンクでは、落下した水がロータンク本体の内面に注ぎ掛けられるため、水が直接水面を叩くことがなく、排水落下音が小さくなるようにしたものである。
【０００３】
【特許文献１】特開２００６−２９１４５１号公報
【特許文献２】特開平１０−２３７９２０号公報
【発明の開示】
【発明が解決しようとする課題】
【０００４】
しかしながら、従来、特許文献１に記載の水洗式大便器では、リム用洗浄水タンクがジェット洗浄水タンク内に形成され、そのリム用洗浄水タンクの切り欠き部から溢れた洗浄水がジェット洗浄水タンク内の洗浄水に落下するときに、水が洗浄水面を叩く音が大きいことが問題となっていた。
一方、特許文献２に記載の構造によれば、斜め下方に向いたトレーにより、落下した水がロータンク本体の内面に注ぎ掛けられるようになっており、水が直接水面を叩くことが無いが、トレーが斜め下方に延びることによりタンク内のスペースを大きく使ってしまうことが問題である。
【０００５】
本発明は、上述した従来技術の問題点を解決するためになされたものであり、省スペースで、洗浄水がタンク内の洗浄水の水面を直接叩くことなく貯水させることが出来る水洗式大便器のタンク構造を提供することを目的とする。
【課題を解決するための手段】
【０００６】
上記の目的を達成するために、本発明は、貯水タンクに貯水された洗浄水を便器本体に
供給して洗浄する水洗式大便器のタンク構造であって、便器本体のリム吐水口へ供給する
洗浄水を貯水するリムタンクとこのリムタンクの下方に配置されジェット吐水口へ供給す
る洗浄水を貯水するジェットタンクとを備えた貯水タンクと、リムタンクに洗浄水を供給
する供給手段と、リムタンクに設けられ洗浄水の供給停止を行うリム排水弁及びジェット
タンクに設けられ洗浄水の供給停止を行うジェット排水弁と、リムタンクに形成されリム
タンクから洗浄水を溢れ出させてジェットタンクにその洗浄水を供給するためのジェット
タンク洗浄水供給口と、このジェットタンク洗浄水供給口に接続され洗浄水をジェタンク
へ導くジェットタンク導水路であって、このジェットタンク導水路の少なくとも上部はリ
ムタンクの外壁に沿って延び且つジェットタンク導水路の下端はジェットタンクに貯留さ
れた洗浄水の排水後の残留水位より下方に位置しているジェットタンク導水路と、を有す
ることを特徴としている。
【０００７】
このように構成された本発明においては、リムタンクの洗浄水がジェットタンク洗浄水供給口から漏れ出てジェットタンク導水路の上部に流出し、ジェットタンク導水路の下端からジェットタンクに供給される。このとき、リムタンクから溢れ出した洗浄水は、その粘性或いは表面張力によりジェットタンク導水路に沿って且つジェットタンク導水路から離れることなくジェットタンクの底部へ向かって下降していく。そして、ジェットタンク導水路の下端は、ジェットタンクに貯留された洗浄水の排水後の残留水位（ＤＷＬ）より下方に位置しているので、リムタンクから溢れ出た洗浄水は、ジェットタンクの水面に水はね音を立てて落ちるのではなく、ジェットタンク内の洗浄水に滑らかに着水するようになる。従って、洗浄水がジェットタンク内の洗浄水の水面を直接叩くことなく、ジェットタンクへのリムタンクからの洗浄水の着水音を抑制して、ジェットタンクへ貯水させることが出来る。また、ジェットタンク導水路の少なくとも上部がリムタンクの外壁に沿って延びているので、ジェットタンク内で導水路用のスペースを小さくすることができる。
【０００８】
本発明において、好ましくは、ジェットタンク洗浄水供給口は、側面視で第２のタンクの上縁部から下方に凹状に切り欠かれて形成されると共に平面視で第２のタンクの内方に向かって凹状になるように形成され、ジェットタンク導水路はこの平面視で凹状に形成された部分が下方に延出されて構成されている。
このように構成された本発明においては、リムタンクの洗浄水が、ジェットタンク洗浄水給水口から滑らかに溢れ出すことが出来、平面視の凹状により、ジェットタンク導水路に流れる洗浄水を左右に振れないようにガイドしながら導いて、水はね音を防止することができる。
【０００９】
本発明において、好ましくは、平面視で凹状に形成された部分は、平面視でほぼ矩形形状を有し、その角部がＲ形状に形成されている。
このように構成された本発明においては、平面視でほぼ矩形形状に形成されることにより、より多くの洗浄水を第２タンクへ流出することが出来、角部のＲ形状により、より滑らかに洗浄水が溢れ出すことが出来、それによりジェットタンク導水路に洗浄水を導いて、水はね音を防止することができる。
【００１０】
本発明において、好ましくは、ジェットタンク洗浄水供給口は、その下端部の断面の法線が、その断面において上方から下方に向かうにつれて上方から側方に向けて傾くように変化する面を有する。
このように構成された本発明においては、リムタンクの洗浄水が、その粘性或いは表面張力により、法線が上方から側方に向けて傾くように変化する面に沿ってより確実にジェットタンク洗浄水給水口から、より滑らかに溢れ出すことが出来、それによりジェットタンク導水路に洗浄水を導いて、水はね音を防止することができる。
【００１１】
本発明において、好ましくは、ジェットタンク洗浄水供給口は、その下端部が、側方且つ斜め上方に向けて突出した湾曲形状の曲面を有する。
このように構成された本発明においては、リムタンクの洗浄水が、その粘性或いは表面張力により、湾曲形状の曲面に沿ってより確実にジェットタンク洗浄水給水口から、より滑らかに溢れ出すことが出来、それによりジェットタンク導水路に洗浄水を導いて、水はね音を防止することができる。
【００１２】
本発明において、好ましくは、ジェットタンク洗浄水供給口は、側面視でリムンクの上縁部から下方に凹状に切り欠かれて形成され、導水路は、このジェットタンク洗浄水供給口を覆うように且つジェットタンク洗浄水供給口から離間して下方に延びる板状部材を有し、この板状部材は、その板状部材に衝突した洗浄水がリムタンクの側面部のジェットタンク導水路に向けて流れるように第２のタンクの側面に向けて傾斜した下端部を有している。
このように構成された本発明においては、ジェットタンク洗浄水給水口から溢れ出た洗浄水は、板状部材及びリムタンクの側面部に向けて傾斜した下端部により、導水路に向けて流され、今度は、その洗浄水の粘性或いは表面張力により、導水路から離れることなく下方まで流れるようになっている。そして、ジェットタンク導水路の下端はリムタンクに貯留された洗浄水の排水後の残留水位（ＤＷＬ）より下方に位置しているので、ジェットタンク洗浄水給水口から溢れ出た洗浄水は、リムタンク内の洗浄水に滑らかに着水するようになる。また、このような板状部材を設けるだけなので、簡易な且つ低コストで第１タンク洗浄水給水口から溢れ出た洗浄水を第１のタンク内の洗浄水に滑らかに着水するようにすることが出来る。
【００１３】
本発明において、好ましくは、ジェットタンク洗浄水供給口は、平面視でリムタンクの内方に向かって凹状になるように形成され、リムタンクの側面部の導水路は第１タンク洗浄水供給口の平面視で凹状に形成された部分が下方に延出した部分である。
このように構成された本発明においては、リムタンクの洗浄水が、その粘性或いは表面張力により、ジェットタンク洗浄水供給口の平面視で凹状に形成された部分が下方に延出した部分に沿ってより確実にジェットタンク洗浄水給水口に滑らかに溢れ出すことが出来、それによりジェットタンク導水路に洗浄水を導いて、水はね音を防止することができる。
【００１４】
本発明において、好ましくは、導水路には、ジェットタンク洗浄水供給口から溢れ出した洗浄水が導水路に沿って流れるように洗浄水がジェットタンク導水路から剥離することを防止する剥離防止手段が設けられている。
このように構成された本発明においては、リムタンクから溢れ出す洗浄水をより確実にジェットタンク導水路へと剥離することなく導き且つ下方に流すことがことが出来る。
【００１５】
本発明において、好ましくは、第１タンク洗浄水供給口には、この第１タンク洗浄水供給口から溢れる洗浄水がジェットタンク導水路に向かってほぼ幅方向に均一に流れるように誘導する案内手段が設けられている。
このように構成された本発明においては、案内手段により、幅方向に均一な水量で溢れる洗浄水は、その粘性或いは表面張力により導水路に沿って流れやすくなるため、その洗浄水がジェットタンク導水路から剥離することなく、導水路を伝って下方まで流れる。
【００１６】
本発明において、好ましくは、ジェットタンク洗浄水供給口には、このジェットタンク洗浄水供給口を覆うように網状部材が設けられ、この網状部材はジェットタンク導水路に沿って下方に延びており、この網状部材が、ジェットタンク洗浄水供給口から溢れ出した洗浄水がジェットタンク導水路に沿って流れるように洗浄水が導水路から剥離することを防止する剥離防止手段を構成している。
このように構成された本発明においては、リムタンクから溢れ出す洗浄水を、その粘性或いは表面張力により、ジェットタンク洗浄水供給口を覆う網状部材によって、より確実にジェットタンク導水路へと剥離することなく導き且つ下方に流すことがことが出来る。
【００１７】
本発明において、好ましくは、ジェットタンク洗浄水供給口は、側面視でリムタンクの上縁部から下方に凹状に切り欠かれて形成され、ジェットタンク導水路は、このジェットタンク洗浄水供給口に接続された中空円筒状の部材で構成されている。
このように構成された本発明においては、リムタンクから溢れ出す洗浄水が、中空円筒状の部材によって、周りに飛び散ることなく、より確実に下方に流れるようにすることが出来る。
【００１８】
本発明において、好ましくは、ジェットタンク導水路は、リムタンクの外壁に沿って形成された導水室とこの導水室の下方に接続された下部導水路とからなり、導水室がジェットタンク洗浄水供給口と接続された上流部の幅は広く、この上流部より下流側に位置する下流部の幅は狭くなるようにほぼＬ字形状に形成されている。
このように構成された本発明においては、ジェットタンク導水路の導水室の上流部は幅が広くなっているので、ジェットタンク洗浄水供給口から流入する洗浄水の流速を遅くすることができ、それにより、ジェットタンク洗浄水供給口からジェットタンクへの水飛び等を防止することができ、さらに、ジェットタンク導水室の下流部は幅が狭くなっているので、下部導水路も小さくでき、ジェットタンク導水路をコンパクトにすることができる。
【００１９】
本発明において、好ましくは、ジェットタンク導水路の導水室の上流部は下流部の上方に位置する部分とこの部分の水平方向横方向に位置する水溜部とからなり、この水溜部には水の流速を減速させる流速減速手段が設けられている。
このように構成された本発明においては、ジェットタンク導水路の導水室の下流部において、上流部の下流部の上方に位置する部分と水溜部からの水が合流するが、このとき、水溜部に設けられた流速減速手段により水溜部の流下する水流の勢いを落としているので、合流のときの騒音を低下させることができる。
【００２０】
本発明において、好ましくは、ジェットタンク導水路の下部導水路は、その導水面が斜め上方に向くように傾いて形成されている。
このように構成された本発明においては、洗浄水が導水室の下流部から下部導水路に流れ込む際に、この洗浄水が下部導水路の斜め上方に向くように傾いて形成された導水面により受け止められるため、下部導水路を流下する洗浄水は剥離することなくジェットタンクに給水される。そのため、ジェットタンクへの水飛び等を防止することができ、水はね音等の騒音を低下させることができる。
【００２１】
本発明において、好ましくは、ジェットタンク導水路の下部導水路の導水面に上下方向に平行に延びる複数のリブが形成されている。
このように構成された本発明においては、ジェットタンク導水路の下部導水路の導水面に上下方向に平行に延びる複数のリブが形成されているので、ジェットタンク導水路内の洗浄水の流れを幅方向に均一な流れとすることができ、これにより、洗浄水の流れが幅方向に集中することにより発生する騒音を防止することができる。
【発明の効果】
【００２２】
本発明によれば、省スペースで、洗浄水がタンク内の洗浄水の水面を直接叩くことなく貯水させることが出来る。
【発明を実施するための最良の形態】
【００２３】
以下、添付図面を参照して、本発明の実施形態による水洗式大便器のタンク構造を説明する。
先ず、図１により、本発明の実施形態による水洗式大便器のタンク構造が適用可能な水洗式大便器の一例を説明する。図１は、本発明の実施形態による水洗大便器のタンク構造が適用可能な水洗式大便器の一例を示す断面図である。
【００２４】
図１に示すように、本発明の実施形態による水洗式大便器のタンク構造が適用可能な水洗大便器１は、陶器からなる便器本体２を有し、この便器本体２には、汚物を受けるボウル部４と、このボウル部４の底部から延びる排水トラップ管路６と、ジェット吐水を行うジェット吐水口８と、リム吐水を行うリム吐水口１０が形成されている。
ジェット吐水口８は、ボウル部４の底部に形成されており、排水トラップ管路６の入口に指向してほぼ水平に配置され、洗浄水を排水トラップ管路６に向けて吐水するようになっている。リム吐水口１０は、ボウル部４の左側上部後方に形成されており、ボウル部４の上縁に沿って洗浄水を吐出するようになっている。
【００２５】
排水トラップ管路６は、入口部６ａと、この入口部６ａから上昇するトラップ上昇管６ｂと、このトラップ上昇管６ｂから下降するトラップ下降管６ｃとからなり、トラップ上昇管６ｂとトラップ下降管６ｃとの間が頂部６ｄとなっている。トラップ下降管６ｃの下端には配水管（図示せず）が接続されている。
【００２６】
ジェット吐水口８及びリム吐水口１０は、洗浄水タンク１２に接続され、洗浄水タンク１２内の洗浄水が、ジェット吐水口８及びリム吐水口１０から吐出されるようになっている。より詳細には、ジェット吐水口８は、ジェットタンク１４に接続され、ジェットタンク１４内の洗浄水が、ジェット吐出口１４ａ（図３参照）を介してジェット吐水口８に供給される。また、リム吐水口１０は、後述するようにジェットタンク１４の内側に設けられたリムタンク１６に接続され、リムタンク１６内の洗浄水が、リム吐出口１６ａ（図３参照）を介してリム吐水口１０に供給される。
【００２７】
また、水洗大便器１は、導気通路２０をさらに備えている。この導気通路２０は、後述するようにリムタンク１６内に設けられ、上端が大気開放されている導気管路２２と、便器本体２の内部に排水トラップ管路６の側面の一部分に沿って一体に形成された導気室２４とによって構成されている。これらの導気通路２２及び導気室２４は、後述するようにリフィール水をボウル部４に供給するための補給水路を兼ねている。
【００２８】
さらに、排水トラップ管路６の入口部６ａには、導気孔２８が形成されており、排水トラップ管路６と導気室２４とを連通させている。ここで、導気通路２０の作用を説明する。
先ず、導気室２４は、導気孔２８により排水トラップ管路６と連通しているため、サイホン作用により、導気室２４内の溜水は導気孔２８を経て排水トラップ管路６内に引き込まれ、導気室２４内の水位が降下する。そして、サイホン作用が継続することにより、導気室２４内の溜水のほとんどが導気孔２８から排水トラップ管路６内に引き出され、導気室２４内の水位が導気孔２８の上縁よりも降下すると、導気室２４内の溜水の排水がほぼ終了する。そして、導気室２４内の空気が、導気孔２８を経て排水トラップ管路６内へ引き込まれ、大気が導気通路２４を通って排水トラップ管路６内に導入され始める。
【００２９】
さらに、導気孔２８から排水トラップ管路６内に空気が引き込まれたことにより、その分排水トラップ管路６内の負圧が小さくなり、サイホン作用によるボウル部４から排水トラップ管路６内へ溜水を吸引する力が弱まる。このとき、ボウル部４内の水位は、排水トラップ管路入口部６ａの上縁よりもわずかに上方に位置しており、ボウル部４から排水トラップ管路６内に空気が引き込まれる直前の状態となっている。
【００３０】
さらに、サイホン作用によるボウル部４から排水トラップ管路６内へ溜水を吸引する力は弱まりつつも持続しているため、ボウル部４内の水位がさらに低下する。ボウル部４内の水位が排水トラップ管路入口部６ａの上縁よりも下回ると、ボウル部４の水面と排水トラップ管路入口部６ａの上縁との空間が生じ、ボウル部４から排水トラップ管路６内へ空気が引き込まれた後、サイホン作用が終了する。
【００３１】
このように、ボウル部４内から排水トラップ管路６内に空気が引き込まれる際には、すでに導気通路２４内の空気が導気孔２８から排水トラップ管路６内へ導入されており、排水トラップ管路６内のサイホン作用によるボウル部４から排水トラップ管路６内へ溜水を吸引する力が弱められているため、サイホン切れ音はほとんど聞こえないぐらいに小さい。
【００３２】
次に、図２及び図３により、本発明の第１実施形態による洗浄水タンクの構造を説明する。図２は、本発明の第１実施形態による洗浄水タンクの内部を上方から見た平面図であり、洗浄水タンクの蓋部を省略し、便器本体側が手前になるように示している。図３は、図２のIII-III線に沿って見た洗浄水タンクの断面図である。
図２及び図３に示すように、本実施形態による洗浄水タンク（水洗式大便器のタンク構造）は、貯水タンクとして、上述したリム吐水口１０へ供給する洗浄水を供給するリムタンク１６と、このリムタンク１６の下方に配置されたジェットタンク１４を備えている。ジェットタンク１４の底面には、ジェット吐出口１４ａを開閉可能なジェット排水弁３０が設けられている。このジェット排水弁３０は、玉鎖（図示せず）によって、洗浄操作レバー３２に連結された操作機構部３４に接続されている。そして、洗浄操作レバー３２を回すと、このジェット排水弁３０が引き上げられて所定時間ジェット吐出口１４ａが開放され、ジェットタンク１４内に収容されている洗浄水がジェット吐水口８に流れるようになっている。
【００３３】
また、リムタンク１６の底面には、リム吐出口１６ａを開閉可能なリム排水弁３６が設けられている。このリム排水弁３６も、ジェット排水弁３０と同様に、玉鎖（図示せず）によって、操作機構部３４に接続されている。そして、洗浄操作レバー３２を回すと、このリム排水弁３６が引き上げられて所定時間リム吐出口１６ａが開放され、リムタンク１６内に収容されている洗浄水がリム吐水口１０に流れるようになっている。
本実施形態では、一度の操作でジェット排水弁３０とリム排水弁３６を開弁することができるように設定されている。
【００３４】
また、洗浄水タンク１２のジェットタンク１４内には、ボールタップ４０が設けられている。このボールタップ４０は、主にフロート４２及びダイアフラム弁４４を有しており。フロート４２の周囲の洗浄水の水位が下がると、フロート４２の位置も下方に下がり、そのように下がると、ダイアフラム弁４４を開放する。一方、フロート４２の周囲の洗浄水の水位が上がると、フロート４２が洗浄水に浮かんでその位置が上方に上がり、ダイアフラム弁４４を閉鎖する。
【００３５】
ここで、ダイアフラム弁４４には、止水栓４６を介して水道に接続された給水管４８が接続されている。給水管４８は、止水栓４６から洗浄水タンク１２の底部まで延びる第１部分４８ａと、ジェットタンク１４の底部からダイアフラム弁４４まで延びる第２部分４８ｂと、ダイアフラム弁４４からリムタンク１６への給水口４８ｃまで延びる第３部分４８ｄとで構成されている。そして、ダイアフラム弁４４が開放されると、洗浄水が給水口４８ｃからリムタンク１６内に供給され、ダイアフラム弁４４が閉鎖されると、洗浄水のリムタンク１６への供給が止まるようになっている。
【００３６】
リムタンク１６内には、上述したように導気管路２２が設けられている。この導気管路２２は、リフィール水をボウル部４に供給するための補給水路を兼ねている。即ち、リムタンク１６内に給水管４８から洗浄水が供給されると、リムタンク１６内の洗浄水が上昇し、その水位が補給水路２２の図３のＬ0で示す上端部まで来ると、その補給水路２２に洗浄水が流れ込み、この流れ込んだ洗浄水がリフィール水としてボウル部４に供給されるのである。
【００３７】
ここで、便器本体１の洗浄が行われ、ジェットタンク１４内及びリムタンク１６内の洗浄水がＤＷＬ（デッドウォーターライン）まで下がると、ジェット排水弁３０及びリム排水弁３６が閉じ、給水管４８の給水口４８ｃからリムタンク１６内への洗浄水の供給が始まる。そして、本発明の実施形態では、リムタンク１６内の洗浄水が、図３でＬ0で示すラインまで上昇すると、上述したように補給水路２２に洗浄水が流れ込むと同時に、同じくラインＬ0が下縁部となっているジェットタンク洗浄水供給口５０から、ジェットタンク導水路５２を介してジェットタンク１４への給水が開始されるようになっている。そして、ジェットタンク１４内の洗浄水の水位が上昇し、ボールタップ４０のフロート４２が上昇し、所定水位に達すると、ダイアフラム弁４４が閉じられて、給水管４８の給水口４８ｃからリムタンク１６内への洗浄水の供給が終わる。
【００３８】
ここで、図４乃至図９により、本発明の第１実施形態による、ジェットタンク洗浄水供給口５０及びジェットタンク導水路５２の構成を説明する。図４は、本発明の第１実施形態によるリムタンクを示す斜視図であり、図５は、本発明の第１実施形態によるリムタンクを側方から見た側面図であり、図６は、本発明の第１実施形態によるリムタンクを上方から見た平面図であり、図７は、図６のVII-VII線に沿って見た断面図であり、図８は、図６のVIII-VIII線に沿って見た断面図であり、図９は、図６のIX-IX線に沿って見た断面図である。
【００３９】
図４に示すように、リムタンク１６には、その周縁部の一部が切り欠かれてジェットタンク洗浄水給水口５０が形成されている。図４及び図５に示すように、このジェットタンク洗浄水給水口５０は、側面視でほぼ矩形状に切り欠かれており、その空間の下縁部５０ａが、図３でＬ0で示すラインの位置にある。この下縁部は、リムタンク１６の他の周囲の周縁部よりも低い位置にあるため、リムタンク１６内の洗浄水が図３でＬ0で示すラインまで上昇すると、洗浄水がこのジェットタンク洗浄水給水口５０から溢れ出るようになっている。そして、ジェットタンク１４への給水が行われる。
【００４０】
また、図４及び図６に示すように、ジェットタンク洗浄水給水口５０は、平面視で、リムタンク１６の周縁部から、リムタンク１６の内方に向かって凹状になるように形成されている。本実施形態では、その凹状の部分５０ｂが、ほぼ矩形状に形成されている。なお、凹状の形状として、半円形や半楕円などの他の形状でも良い。
凸状又は矩形のリムタンクにおいて、ジェットタンク洗浄水給水口の部分のリムタンク外側にリブを設置し、ジェットタンク洗浄水給水口とリブにて平面視で凹状に形成しても良い。この平面視で凹状に形成された部分が下方に延出されて導水路となる。
【００４１】
次に、ジェットタンク洗浄水給水口５０は、図４及び図６に示すように、平面視でその角部５０ｄが平面視でＲ形状に形成された矩形形状を有している。また、図４、図６乃至図９に示すように、ジェットタンク洗浄水給水口５０は、その下端部が、平面視で、直線状の３辺及びのＲ形状に形成された２つの角部において、側方且つ斜め上方に向けて突出した湾曲形状の曲面５０ｅで構成されている。より詳細には、この下端部の湾曲形状の曲面５０ｅは、その法線が断面において変化する。つまり、法線は、下端部の上縁部方では、垂直方向の上方に向いており、その下端部の上方から下方に向かうほど垂直方向の上方から斜め下方且つ側方に向けて変化し、下端部の下縁部では側方の水平方向に向けて延びるようになっている。この曲面５０ｅは、その断面が円弧状に形成されている。
【００４２】
なお、下端部の湾曲形状は、円弧状ではなく、他の形状の面で構成されていても良い。
このように、湾曲形状の曲面５０ｅが設けられることにより、ジェットタンク洗浄水給水口５０から溢れ出た洗浄水は、その粘性或いは表面張力により、その湾曲形状の曲面５０ｅから離れることなく、そして、その曲面５０ｅに連続的に接続されたジェットタンク導水路５２から離れることなく、ジェットタンク導水路５２を伝って下方まで流れる。
【００４３】
次に、ジェットタンク洗浄水給水口５０の下端部５０ｃより下方には、ジェットタンク導水路５２が形成されている。このジェットタンク導水路５２は、ジェットタンク洗浄水供給口の平面視で凹状に形成された部分５０ｂが下方に向かって延ばされて構成されている。このジェットタンク導水路５２は、リムタンク１６の外壁に沿って下方に延びている。ジェットタンク洗浄水給水口５０から溢れ出た洗浄水は、その粘性或いは表面張力により、ジェットタンク導水路５２から離れることなく、ジェットタンク導水路５２を伝って下方まで流れるようになっている。そして、ジェットタンク導水路５２の下端はジェットタンク１４に貯留された洗浄水の排水後の残留水位（ＤＷＬ）より下方に位置している。
従って、リムタンク１６から溢れ出た洗浄水は、ジェットタンク１４内の洗浄水に滑らかに着水するようになる。
【００４４】
ここで、本実施形態では、リムタンクが樹脂製及びジェットタンクが陶器製であり、このような組合せが良いが、リムタンクが陶器製であり、リムタンクとジェットタンクが一体で形成されても良い。そこで、本実施形態では、ジェットタンク洗浄水給水口５０を、補給水路（導気管路）２２の近傍に設けている。従って、リムタンク１６のジェットタンク１４への取付位置に誤差が生じても、上述したように、補給水路２２への洗浄水の流れ込みと、ジェットタンク洗浄水供給口５０からジェットタンク１４への給水とが、ほぼ同時に開始されるようになっている。
【００４５】
この際、補給水路２２からのリフィール水の水量と、ジェットタンク洗浄水給水口５０からの洗浄水のジェットタンク１４への水量との比は、０．３〜０．４５の範囲である。
例えば、リフィール水の水量が１．７（ｌ）であり、ジェットタンク洗浄水給水口５０からの水量が４．７（ｌ）である。
【００４６】
次に、本発明の第１実施形態の作用効果を説明する。
先ず、本発明の第１実施形態では、リムタンク１６はジェットタンク１４の内側に配置され、このリムタンク１６には給水管４８から洗浄水が供給されるようになっている。リムタンク１６には、このリムタンク１６から洗浄水を溢れ出させてジェットタンク１４にその洗浄水を供給するためのジェットタンク洗浄水供給口５０が設けられている。ジェットタンク洗浄水供給口５０にはジェットタンク１４へ洗浄水を導くほぼリムタンク１６の外壁に沿って延びるジェットタンク導水路５２が接続され、この導水路５２の下端はジェットタンク１４に貯留された洗浄水の排水後の残留水位（ＤＷＬ）より下方に位置している。
詳しくは、ジェットタンク導水路５２は、ジェットタンク１４内において、給水管やボールタップなどの部材とリムタンク１６の外壁との間の空間に納まるようにほぼリムタンク外壁１６に沿って延びている。また、ジェットタンク導水路５２はリムタンク１６の外壁に離間して設置されても良い。
【００４７】
このような構成によれば、ジェットタンク洗浄水供給口５０からジェットタンク導水路５２へと洗浄水が流れ、そのリムタンク１６から溢れ出した洗浄水は、その粘性或いは表面張力により導水路５２に沿って且つ導水路５２から離れることなくジェットタンク１４の底部へ向かって下降していく。
【００４８】
そして、導水路５２の下端は、ジェットタンク１４に貯留された洗浄水の排水後の残留水位（ＤＷＬ）より下方に位置しているので、リムタンク１６から溢れ出た洗浄水は、ジェットタンク１４の水面に「バシャバシャ」というような水はね音を立てて落ちるのではなく、ジェットタンク１４内の洗浄水に滑らかに着水するようになる。従って、洗浄水がタンク内の洗浄水の水面を直接叩くことなく、ジェットタンク１４へのリムタンク１６からの洗浄水の着水音を抑制して、ジェットタンク１４へ貯水させることが出来る。
【００４９】
また、ジェットタンク導水路５２は、ほぼリムタンク１６の外壁に沿って延びるので、ジェットタンク１４内で幅方向のスペースをほとんどとることがない。従って、省スペースで、洗浄水がタンク内の洗浄水の水面を直接叩くことなく貯水させることが出来る。
【００５０】
次に、ジェットタンク洗浄水供給口５０は、側面視でジェットタンク１４の上縁部から下方に凹状に切り欠かれて形成されると共に平面視でリムタンク１６の内方に向かって凹状になるように形成されている。ジェットタンク導水路５２はジェットタンク洗浄水供給口５０の平面視で凹状に形成された部分が下方に向かって延ばされて構成されている。従って、リムタンク１６の水が、ジェットタンク洗浄水給水口５０に滑らかに溢れ出すことが出来る。
【００５１】
次に、ジェットタンク洗浄水給水口５０は、平面視でその角部５０ｄが平面視でＲ形状に形成された矩形形状を有しているので、リムタンク１６の水が、ジェットタンク洗浄水給水口５０に滑らかに溢れ出すことが出来る。
【００５２】
次に、ジェットタンク洗浄水供給口５０は、側方且つ斜め上方に向けて突出した湾曲形状の曲面５０ｅで構成されている。また、ジェットタンク洗浄水供給口５０は、その断面が曲線形状を有する曲面状に形成されており、その曲面部分の法線が、その断面において上方から下方に向かうにつれて上方から側方に向けて傾くように変化する湾曲形状の曲面で構成されている。従って、リムタンク１６の水がジェットタンク洗浄水給水口５０から溢れ出す際、洗浄水が飛び散ったりすることなく、粘性或いは表面張力によりその曲面５０ｅに沿って滑らかに溢れ出すことが出来る。さらに、この湾曲形状の曲面５０ｅの断面がＲ形状に形成されているので、より確実に、リムタンク１６の洗浄水がジェットタンク洗浄水給水口５０から曲面５０ｅに沿って滑らかに溢れ出すようにすることが出来る。
【００５３】
次に、リムタンク１６はジェットタンク１４の内側に配置され、このリムタンク１６には給水管４８から洗浄水が供給され、この洗浄水はジェットタンク１４の洗浄水の水位が所定水位を超えたときに止水されるようになっている。リムタンク１６には、便器本体１のボウル部４にリフィール水を供給するための補給水管２２と、リムタンク１６から洗浄水を溢れ出させてジェットタンク１４にその洗浄水を供給するためのジェットタンク洗浄水供給口５０とが設けられている。給水管４８からリムタンク１６へ洗浄水が供給されこのリムタンク１６の洗浄水の水位が所定水位を超えると、補給水管２２からボウル部４にリフィール水が給水されると共にジェットタンク洗浄水供給口５０からジェットタンク１４に洗浄水が供給されるようになっている。
【００５４】
従って、補給水管２２からの溢水によりリフィール水を供給することが出来、従来のような給水弁とオーバーフロー管を連通した補給水管構造が不要になるため、リムタンク１６内の部品配置を簡素化でき、リムタンク１６内にスペースを生み出すことが出来る。また、補給水管２２に給水管４８が直接に接続されていないため、リフィール水を供給する際、給水管４８の給水圧力による変動を受け難く、補助水管から給水される補助水量をほぼ一定に保つことが出来る。
【００５５】
さらに、導気通路２０を補給水管２２として利用しているため、便器本体にリフィール水用の通路を新たに設ける必要がなく、スペースを有効活用することが出来る。また、便器本体１に複数の通路を設ける構成にしなくて良いため、便器本体１の製造コストを削減することが出来る。
【００５６】
また、補給水路２２に洗浄水が流れ込むと同時にジェットタンク洗浄水供給口５０からジェットタンク１４への給水が開始されるようになっているので、それぞれの水量の調節を精度良く行うことが出来る。
【００５７】
次に、図１０乃至図１３により本発明の第２実施形態による水洗大便器の洗浄水タンク構造を説明する。図１０は、本発明の第２実施形態によるリムタンクを示す斜視図であり、図１１は、本発明の第２実施形態によるリムタンクを側方から見た側面図であり、図１２は、本発明の第２実施形態によるリムタンクを上方から見た平面図であり、図１３は、図１２のIII-III線に沿って見た断面図である。
第２実施形態においては、ジェットタンク洗浄水給水口及びジェットタンク導水路の構成が第１実施形態と異なっているので、ここでは、この異なる部分のみ説明する。
【００５８】
図１０に示すように、リムタンク１６には、その周縁部の一部が切り欠かれてジェットタンク洗浄水給水口１５０が形成されている。図１０及び図１１に示すように、このジェットタンク洗浄水給水口１５０は、側面視でほぼ矩形状に切り欠かれており、その空間の下縁部１５０ａ（図１２参照）が、図３でＬ0で示すラインの位置にある。この下縁部は、リムタンク１６の他の周囲の周縁部よりも低い位置にあるため、リムタンク１６内の洗浄水が図３でＬ0で示すラインまで上昇すると、洗浄水がこのジェットタンク洗浄水給水口１５０から溢れ出るようになっている。そして、ジェットタンク１４への給水が行われる。
【００５９】
また、図１２に示すように、ジェットタンク洗浄水給水口１５０は、平面視で、リムタンク１６の周縁部から、リムタンク１６の内方に向かって凹状になるように形成されている。本実施形態では、その凹状の部分１５０ｂが、ほぼ矩形状に形成されている。
【００６０】
次に、図１３に示すように、ジェットタンク洗浄水給水口１５０の下端部１５０ａより下方には、ジェットタンク導水路１５２が形成されている。図１０及び図１２に示すように、このジェットタンク導水路１５２は、ジェットタンク洗浄水供給口の平面視で凹状に形成された部分１５０ｂが下方に向かって延ばされて構成されている。このジェットタンク導水路１５２は、リムタンク１６の外壁に沿って下方に延びている。そして、ジェットタンク導水路１５２の下端はジェットタンク１４に貯留された洗浄水の排水後の残留水位（ＤＷＬ）より下方に位置している。
【００６１】
ここで、第２実施形態では、図１０及び図１３に示すように、ジェットタンク洗浄水供給口１５０を覆うように且つジェットタンク洗浄水供給口１５０から離間して下方に延びる板状部材１５４が設けられている。この板状部材１５４は、リムタンク１６の側面部に向けて傾斜した下端部（傾斜部）１５４ａを有する。
【００６２】
この第２実施形態では、この板状部材１５４に衝突した洗浄水が、その傾斜した部分１５４ａにより、リムタンク１６の壁面部の一部であるジェットタンク導水路１５２に向けて流れる。そして、そのように流れた洗浄水は、リムタンク１６のジェットタンク導水路１５２を伝って下方に流れるように形成されている。
なお、板状部材１５４は、リムタンク１６から溢れ出した洗浄水が、リムタンク１６の壁面部の一部であるジェットタンク導水路１５２に向けて流れるように、その全体が傾斜していても良い。
【００６３】
次に、本発明の第２実施形態の作用効果を説明する。
先ず、ジェットタンク洗浄水給水口１５０から溢れ出た洗浄水は、板状部材１５４及びその傾斜部分１５４ａとにより、ジェットタンク導水路１５２に向けて流され、今度は、その洗浄水の粘性或いは表面張力により、ジェットタンク導水路１５２から離れることなく、ジェットタンク導水路１５２を伝って下方まで流れるようになっている。そして、ジェットタンク導水路１５２の下端はジェットタンク１４に貯留された洗浄水の排水後の残留水位（ＤＷＬ）より下方に位置している。従って、リムタンク１６から溢れ出た洗浄水は、ジェットタンク１４内の洗浄水に滑らかに着水するようになる。
また、このような板状部材１５４を設けるだけなので、簡易な且つ低コストでリムタンク１６から溢れ出た洗浄水をジェットタンク１４内の洗浄水に滑らかに着水するようにすることが出来る。
【００６４】
次に、図１４及び図１５により本発明の第３実施形態による洗浄水タンク構造を説明する。図１４は、本発明の第３実施形態によるリムタンクのジェットタンク洗浄水給水口及びジェットタンク導水路を示す斜視図であり、図１５は、本発明の第３実施形態によるリムタンクのジェットタンク洗浄水給水口及びジェットタンク導水路を示す側面図である。
第３実施形態においては、ジェットタンク洗浄水給水口及びジェットタンク導水路の構成が第１実施形態と異なっているので、ここでは、この異なる部分のみ説明する。
【００６５】
図１４及び図１５に示すように、リムタンク（図示せず）には、その周縁部の一部が切り欠かれたジェットタンク洗浄水給水口２５０が形成されている。このジェットタンク洗浄水給水口２５０には、リムタンク１６から溢れ出す洗浄水の整流部材、即ち、複数のスリット２５４が設けられている。
【００６６】
次に、ジェットタンク洗浄水給水口２５０の下端部２５０ｃより下方には、ジェットタンク導水路２５２が形成されている。このジェットタンク導水路２５２は、ジェットタンク洗浄水供給口２５０の平面視で凹状に形成された部分が下方に延出されて構成されている。このジェットタンク導水路２５２は、リムタンク１６の外壁に沿って下方に延びている。そして、ジェットタンク導水路２５２の下端はジェットタンク１４に貯留された洗浄水の排水後の残留水位（ＤＷＬ）より下方に位置している。
【００６７】
次に、本発明の第３実施形態の作用効果を説明する。
先ず、ジェットタンク洗浄水給水口２５０から溢れ出た洗浄水は、整流部材２５４により、ジェットタンク洗浄水給水口２５０の幅方向にわたって、各スリット２５４を流れる水量がほぼ均一になるようになっている。即ち、整流部材２５４を設けることにより、リムタンク１６から溢れる洗浄水が、その幅方向の位置によって多かったり少なかったりすることなく、幅方向に均一な水量で流れるようになっている。
【００６８】
従って、この幅方向に均一な水量で溢れる洗浄水が、その粘性或いは表面張力により、ジェットタンク導水路２５２へと下方へ向けて案内され、下方に方向転換して、ジェットタンク導水路２５２から離れることなく、ジェットタンク導水路２５２を伝って下方まで流れる。そして、ジェットタンク導水路２５２の下端はジェットタンク１４に貯留された洗浄水の排水後の残留水位（ＤＷＬ）より下方に位置しているので、リムタンク１６から溢れ出た洗浄水は、ジェットタンク１４内の洗浄水に滑らかに着水するようになる。
【００６９】
なお、この第３実施形態による整流部材２５４を、上述した第１実施形態によるジェットタンク洗浄水給水口５０、或いは、第２実施形態によるジェットタンク洗浄水給水口１５０に設けても良い。このような場合も、上述した第１実施形態及び第２実施形態による作用効果に加え、リムタンク１６から溢れ出す洗浄水をより確実にジェットタンク導水路５２、１５２へと、剥離することなく導くことが出来る。
【００７０】
次に、図１６乃至図１９により本発明の第４実施形態による水洗大便器の洗浄水タンク構造を説明する。図１６は、本発明の第４実施形態によるリムタンクを示す斜視図であり、図１７は、本発明の第４実施形態によるリムタンクを側方から見た側面図であり、図１８は、本発明の第４実施形態によるリムタンクを上方から見た平面図であり、図１９は、図１８のIX-IX線に沿って見た断面図である。
第４実施形態においては、ジェットタンク洗浄水給水口及びジェットタンク導水路の構成が第１実施形態と異なっているので、ここでは、この異なる部分のみ説明する。
【００７１】
この第４実施形態では、図１６乃至図１９に示すように、ジェットタンク洗浄水供給口３５０に、このジェットタンク洗浄水供給口を覆うように網状部材３５４が設けられ、この網状部材３５４は導水路３５２に沿って下方に延びている。
【００７２】
先ず、図１６に示すように、リムタンク１６には、その周縁部の一部が切り欠かれてジェットタンク洗浄水給水口３５０が形成されている。図１６及び図１７に示すように、このジェットタンク洗浄水給水口３５０は、側面視でほぼ矩形状に切り欠かれており、その空間の下縁部３５０ａ（図１９参照）が、図３でＬ0で示すラインの位置にある。この下縁部は、リムタンク１６の他の周囲の周縁部よりも低い位置にあるため、リムタンク１６内の洗浄水が図３でＬ0で示すラインまで上昇すると、このジェットタンク洗浄水給水口３５０から溢れ出るようになっている。そして、ジェットタンク１４への給水が行われる。
【００７３】
また、図１８に示すように、ジェットタンク洗浄水給水口３５０は、平面視で、リムタンク１６の周縁部から、リムタンク１６の内方に向かって凹状になるように形成されている。本実施形態では、その凹状の部分３５０ｂが、ほぼ矩形状に形成されている。
【００７４】
次に、図１６、図１７及び図１９に示すように、ジェットタンク洗浄水給水口３５０の下端部３５０ａより下方には、ジェットタンク導水路３５２が形成されている。図１６及び図１８に示すように、このジェットタンク導水路３５２は、ジェットタンク洗浄水供給口の平面視で凹状に形成された部分３５０ｂが下方に向かって延ばされて構成されている。このジェットタンク導水路３５２は、リムタンク１６の外壁に沿って下方に延びている。そして、ジェットタンク導水路３５２の下端はジェットタンク１４に貯留された洗浄水の排水後の残留水位（ＤＷＬ）より下方に位置している。
【００７５】
ここで、第４実施形態では、上述したようにジェットタンク洗浄水供給口３５０を覆うように網状部材３５４が設けられている。さらにこの網状部材３５４はジェットタンク導水路３５２にわたって下方に延びている。
【００７６】
この第４実施形態では、リムタンク１６から溢れ出そうとする洗浄水が、このジェットタンク洗浄水給水口３５０に設けられた網状部材３５４に当たり、その洗浄水の粘性或いは表面張力によって、網状部材３５４を伝って、ジェットタンク導水路３５２に沿って下方に向けて流れるようになっている。
【００７７】
なお、この第４実施形態による網状部材３５４を、上述した第１実施形態によるジェットタンク洗浄水給水口５０、或いは、第２実施形態によるジェットタンク洗浄水給水口１５０に設けても良い。さらに、網状部材３５４を、第１実施形態によるジェットタンク導水路５２、或いは、第２実施形態による導水路１５２に設けても良い。これらのような場合も、上述した第１実施形態及び第２実施形態による作用効果に加え、リムタンク１６から溢れ出す洗浄水をより確実にジェットタンク導水路５２、１５２へと、剥離することなく導くことが出来る。
【００７８】
次に、本発明の第４実施形態の作用効果を説明する。
先ず、ジェットタンク洗浄水給水口３５０から溢れ出た洗浄水は、網状部材３５４により、より大きな表面張力を得て、ジェットタンク導水路３５２に向けて流される。そして、その洗浄水の粘性或いは表面張力により、ジェットタンク導水路３５２から離れることなく、網状部材３５４が設けられたジェットタンク導水路３５２を伝って下方まで流れるようになっている。そして、ジェットタンク導水路３５２の下端はジェットタンク１４に貯留された洗浄水の排水後の残留水位（ＤＷＬ）より下方に位置している。従って、リムタンク１６から溢れ出た洗浄水は、ジェットタンク１４内の洗浄水に滑らかに着水するようになる。
このように網状部材３５４によれば、ジェットタンク洗浄水給水口３５０及びジェットタンク導水路３５２と、網状部材３５４との間の表面張力が増すので、リムタンク１６から溢れ出した洗浄水が勢いよく飛び出すことなく且つ洗浄水が剥離することなくジェットタンク１４内の貯水まで流すことが出来る。
【００７９】
次に、図２０乃至図２３により本発明の第５実施形態による水洗大便器の洗浄水タンク構造を説明する。図２０は、本発明の第５実施形態によるリムタンクを示す斜視図であり、図２１は、本発明の第５実施形態によるリムタンクを側方から見た側面図であり、図２２は、本発明の第５実施形態によるリムタンクを上方から見た平面図であり、図２３は、図２２のIV-IV線に沿って見た断面図である。
第５実施形態においては、ジェットタンク洗浄水給水口及びジェットタンク導水路の構成が第１実施形態と異なっているので、ここでは、この異なる部分のみ説明する。
【００８０】
先ず、図２０に示すように、リムタンク１６には、その周縁部の一部が切り欠かれてジェットタンク洗浄水給水口４５０が形成されている。図２０に示すように、このジェットタンク洗浄水給水口４５０は、側面視でほぼ矩形状に切り欠かれており、その空間の下縁部４５０ａ（図２３参照）が、図３でＬ0で示すラインの位置にある。この下縁部は、リムタンク１６の他の周囲の周縁部よりも低い位置にあるため、リムタンク１６内の洗浄水が図３でＬ0で示すラインまで上昇すると、このジェットタンク洗浄水給水口４５０から溢れ出るようになっている。そして、ジェットタンク１４への給水が行われる。
【００８１】
次に、図２０、図２１及び図２３に示すように、ジェットタンク洗浄水給水口４５０には、リムタンク１６から溢れる洗浄水のためのガイド板４５４及びガイド面４５６が形成されている。このガイド面４５６の中央には円形状の孔４５８が形成され、この円形状の孔の下方には、中空円筒部材４５２が取り付けられている。この中空円筒部材４５２は、リムタンク１６の外壁にほぼ平行に下方に向けて延びている。そして、中空円筒部材４５２の下端はジェットタンク１４に貯留された洗浄水の排水後の残留水位（ＤＷＬ）より下方に位置している。
【００８２】
次に、本発明の第５実施形態の作用効果を説明する。
先ず、リムタンク１６から溢れる洗浄水は、ガイド板４５４及びガイド面４５６によって囲まれた空間に流れ込み、この流れ込んだ洗浄水は孔４５８を通って、中空円筒部材４５２に流れ込み、さらに、中空円筒部材４５２に沿って下方に流れるようになる。ここで、中空円筒部材４５２の下端はジェットタンク１４に貯留された洗浄水の排水後の残留水位（ＤＷＬ）より下方に位置している。従って、リムタンク１６から溢れ出た洗浄水は、ジェットタンク１４内の洗浄水に滑らかに着水するようになる。
【００８３】
なお、上述した第１乃至第５の実施形態において、リムタンク内にジェットタンクが設けられている構成として、各実施形態のようにタンク洗浄水供給口及び導水路を形成しても良い。また、リムタンクとジェットタンクが、一体で成形され、リム洗浄水の貯水域とゼットタンクの貯水域が分離しているもの又はリムタンクとジェットタンクが並列に並んでいるものでも良い。
【００８４】
次に、図２４乃至図３０により本発明の第６実施形態による水洗式大便器の洗浄水タンクを説明する。図２４は、本発明の第６実施形態による洗浄水タンクの内部を上部から見た平面図であり、図２５は図２４のXXV‐XXV線に沿って見た洗浄水タンクの断面図であり、図２６は本発明の第６実施形態によるリムタンクを斜め上方から見た斜視図であり、図２７は本発明の第６実施形態によるリムタンクを上方から見た平面図であり、図２８は図２７のXXVIII‐XXVIII線に沿って見たリムタンクの断面図であり、図２９は図２８のXXIX‐XXIX線に沿って見たリムタンクの断面図であり、図３０は本発明の第６実施形態によるジェットタンク導水路の下部導水路を示す斜視図である。
【００８５】
第６実施形態においては、ジェットタンク洗浄水給水口及びジェットタンク導水路の構成が第１実施形態と異なっているので、ここでは、この異なる部分のみ説明する。
【００８６】
先ず、図２４乃至図２６に示すように、リムタンク１６の図中左側の周縁部の一部が側面視でほぼ矩形形状に切り欠かれてジェットタンク洗浄水給水口５５０が形成されている。第６実施形態では、図２４に示すように、操作機構部３４の軸部３４ａが、図２に示す第１実施形態の操作機構部３４（軸部がクランク形状）とは異なり、真っ直ぐに延びる形状となっており、この軸部３４ａがジェットタンク洗浄水給水口５５０内に貫通するように取り付けられている。このように、ジェットタンク洗浄水給水口５５０の空き空間を有効に利用して、リムタンク１６の必要な高さ（必要なタンク容量）を確保することができる。
【００８７】
次に、ジェットタンク洗浄水給水口５５０の空間の下縁部５５０ａは、図３でＬ0で示すラインの位置にある。この下縁部５５０ａは、リムタンク１６の他の周囲の周縁部よりも低い位置にあるため、リムタンク１６内の洗浄水が図３でＬ0で示すラインまで上昇すると、洗浄水がこのジェットタンク洗浄水給水口５５０から溢れ出て、さらに、ジェットタンク１４への給水が行われるようになっている。
【００８８】
次に、図２６乃至図２９に示すように、ジェットタンク導水路５５２は、リムタンク１６の外壁に沿って形成された導水室５５３と、この導水路５５３の下方に接続された下部導水路５５４とから形成されている。
ジェットタンク導水路５５２の導水室５５３は、図２９に示すように、Ｌ字形状をしており、その上流部５５５は幅が広く形成され、その下流部５５６は幅が狭く形成されている。さらに、上流部５５５は、下流部５５６の上方に位置する部分５５５ａとこの部分５５５ａの水平方向横方向に位置する水溜部５５５ｂとから形成されている。この水溜部５５５ｂには、上下方向に平行に延びる複数のリブ５５５ｃがリムタンク１６の外壁面上に形成されている。
【００８９】
次に、図２５、図２８及び図３０に示されているように、ジェットタンク導水路５５２の下部導水路５５４は、その導水面５５４ａが斜め上方に向くように所定の角度だけ傾いて形成されている。
次に、図２８及び図３０に示されているように、ジェットタンク導水路５５２の下部導水路５５４の導水面５５４ａには、上下方向に平行に延びる複数のリブ５５４ｂが形成されている。また、下部導水路５５４の上端面には、リムタンク１６に取り付けるための、位置決め用突起５５４ｃとネジ取付用スロット５５４ｄが設けられている。
【００９０】
次に、本発明の第６実施形態による水洗式大便器のタンク構造による作用効果を説明する。
先ず、本実施形態においては、ジェットタンク洗浄水供給口５５０の下縁部５５０ａを越えて溢れ出た洗浄水は、先ず、ジェットタンク導水路５５２の導水室５５３内に流入し、次に、上流部５５５の部分５５５ａと水溜部５５５ｂに流入した洗浄水が下流部５５６において合流する。さらに、洗浄水は、この導水室５５３の下流部５５６から下部導水路５５４に流れる。そして、ジェットタンク導水路５５２の下端はジェットタンク１４に貯留された洗浄水の排水後の残留水位（ＤＷＬ）より下方に位置しているので、リムタンク１６から溢れ出た洗浄水は、ジェットタンク１４内の洗浄水に滑らかに着水するようになる。
【００９１】
本実施形態においては、ジェットタンク導水路５５２の導水室の上流部は幅Ｗが広くなっているので、ジェットタンク洗浄水供給口５５０から流入する洗浄水の流速を遅くすることができ、それにより、ジェットタンク洗浄水供給口５５０からジェットタンク１４への水飛び等を防止することができる。さらに、導水室５５３の下流部５５６は幅が狭くなっており、この下流部５５６に下部導水路５５４が接続されているので、ジェットタンク導水路５５２をコンパクトにすることができる。
【００９２】
本実施形態においては、ジェットタンク導水路５５２の導水室５５３の下流部５５６において、上流部５５５の部分５５５ａと水溜部５５５ｂからの水が合流するが、このとき、水溜部５５５ｂは十分な高さＨが確保されており、且つ、上流部５５５の水溜部５５５ｂに上下方向に平行に延びる複数のリブ５５５ｃを形成して、水溜部５５５ｂで流下する水流の勢いを落とす（流速を減速させる）ようにしているので、合流のときの騒音を低下させることができる。
【００９３】
本実施形態において、ジェットタンク導水路５５２の下部導水路５５４をその導水面５５４ａが斜め上方に向くように傾けて形成しているので、ジェットタンク導水路５５２の下部導水路５５４の下端がジェット排水弁３０と干渉することを防止できる。さらに、洗浄水が導水室５５３の下流部から下部導水路５５４に流れ込む際に、この洗浄水が下部導水路５５４の斜め上方に向くように傾いて形成された導水面５５４ａにより受け止められるため、下部導水路５５４を流下する洗浄水は剥離することなくジェットタンク１４に給水される。そのため、ジェットタンク１４への水飛び等を防止することができ、水はね音等の騒音を低下させることができる。
【００９４】
本実施形態においては、ジェットタンク導水路５５２の下部導水路５５４の導水面５５４ａに上下方向に平行に延びる複数のリブ５５４ｂが形成されているので、ジェットタンク導水路５５２の下部導水路５５４内の洗浄水の流れを幅方向に均一な流れとすることができ、これにより、洗浄水の流れが幅方向に集中することにより発生する騒音を防止することができる。
【図面の簡単な説明】
【００９５】
【図１】本発明の実施形態による水洗大便器のタンク構造が適用可能な水洗式大便器の一例を示す断面図である。
【図２】本発明の第１実施形態による洗浄水タンクの内部を上方から見た平面図である。
【図３】図２のIII-III線に沿って見た洗浄水タンクの断面図である。
【図４】本発明の第１実施形態によるリムタンクを示す斜視図である。
【図５】本発明の第１実施形態によるリムタンクを側方から見た側面図である。
【図６】本発明の第１実施形態によるリムタンクを上方から見た平面図である。
【図７】図６のVII-VII線に沿って見た断面図である。
【図８】図６のVIII-VIII線に沿って見た断面図である。
【図９】図６のIX-IX線に沿って見た断面図である。
【図１０】本発明の第２実施形態によるリムタンクを示す斜視図である。
【図１１】本発明の第２実施形態によるリムタンクを側方から見た側面図である。
【図１２】本発明の第２実施形態によるリムタンクを上方から見た平面図である。
【図１３】図１２のIII-III線に沿って見た断面図である。
【図１４】本発明の第３実施形態によるリムタンクのジェットタンク洗浄水給水口及びジェットタンク導水路を示す斜視図である。
【図１５】本発明の第３実施形態によるリムタンクのジェットタンク洗浄水給水口及びジェットタンク導水路を示す側面図である。
【図１６】本発明の第４実施形態によるリムタンクを示す斜視図であり。
【図１７】本発明の第４実施形態によるリムタンクを側方から見た側面図である。
【図１８】本発明の第４実施形態によるリムタンクを上方から見た平面図である。
【図１９】図１８のIX-IX線に沿って見た断面図である。
【図２０】本発明の第５実施形態によるリムタンクを示す斜視図である。
【図２１】本発明の第５実施形態によるリムタンクを側方から見た側面図である。
【図２２】本発明の第５実施形態によるリムタンクを上方から見た平面図である。
【図２３】図２２のIV-IV線に沿って見た断面図である。
【図２４】本発明の第６実施形態による洗浄水タンクの内部を上部から見た平面図である。
【図２５】図２４のXXV‐XXV線に沿って見た洗浄水タンクの断面図である。
【図２６】本発明の第６実施形態によるリムタンクを斜め上方から見た斜視図である。
【図２７】本発明の第６実施形態によるリムタンクを上方から見た平面図である。
【図２８】図２７のXXVIII‐XXVIII線に沿って見たリムタンクの断面図である。
【図２９】図２８のXXIX‐XXIX線に沿って見たリムタンクの断面図である。
【図３０】本発明の第６実施形態によるジェットタンク導水路の下部導水路を示す斜視図である。
【符号の説明】
【００９６】
１  水洗大便器
２  便器本体
４  ボウル部
６  排水トラップ管路
８  ジェット吐水口
１０  リム吐水口
１２  洗浄水タンク
１４  ジェットタンク
１６  リムタンク
２０  導気通路（補給水路）
２２  導気管路（補給水路）
２４  導気室（補給水路）
３０  ジェット排水弁
３６  リム排水弁
４０  ボールタップ
４８  給水管
５０、１５０、２５０、３５０、４５０、５５０  ジェットタンク洗浄水供給口
５０ｅ  湾曲形状の曲面
５２、１５２、２５２、３５２、５５２  ジェットタンク導水路
４５２  中空円筒部材
５５３  導水室
５５４  下部導水路
５５４ｂ  リブ
５５５  導水室の上流部
５５５ａ  部分
５５５ｂ  水溜部
５５５ｃ  リブ
５５６  導水室の下流部
【図１】
0005164022.tif 000002
【図２】
0005164022.tif 000003
【図３】
0005164022.tif 000004
【図４】
0005164022.tif 000005
【図５】
0005164022.tif 000006
【図６】
0005164022.tif 000007
【図７】
0005164022.tif 000008
【図８】
0005164022.tif 000009
【図９】
0005164022.tif 000010
【図１０】
0005164022.tif 000011
【図１１】
0005164022.tif 000012
【図１２】
0005164022.tif 000013
【図１３】
0005164022.tif 000014
【図１４】
0005164022.tif 000015
【図１５】
0005164022.tif 000016
【図１６】
0005164022.tif 000017
【図１７】
0005164022.tif 000018
【図１８】
0005164022.tif 000019
【図１９】
0005164022.tif 000020
【図２０】
0005164022.tif 000021
【図２１】
0005164022.tif 000022
【図２２】
0005164022.tif 000023
【図２３】
0005164022.tif 000024
【図２４】
0005164022.tif 000025
【図２５】
0005164022.tif 000026
【図２６】
0005164022.tif 000027
【図２７】
0005164022.tif 000028
【図２８】
0005164022.tif 000029
【図２９】
0005164022.tif 000030
【図３０】
0005164022.tif 000031